(57)【要約】【課題】  表示画面の前方に入力操作板が展開された状態で、表示画面前方への突出長さを抑えることができる電子機器を提供すること。【解決手段】  表示画面６を有する表示装置２と、この表示装置２を立たせた姿勢で支持する支持部材３と、表示装置２に回動自在に連結される入力操作板５とを備え、入力操作板５の後端部は表示装置２の後方に回り込んで表示装置２の背面に連結され、入力操作板５は後端部を中心に、表示画面６の前方に展開される開位置と、表示画面６に向き合わされる閉位置との間で回動自在となっている。【選択図】        図８
2005085002.tif 000002
【特許請求の範囲】
【請求項１】
表示画面を有する表示装置と、
前記表示装置を設置面上から浮かせた状態で支持する支持部材と、
前記表示装置の背面に連結される連結部と、前記連結部から前記表示画面の前方に延在される操作部とを有し、前記連結部を回動中心として、前記操作部が前記表示画面の前方に展開される開位置と、前記操作部が前記表示画面に向き合わされる閉位置との間で回動自在な入力操作板とを備えた
ことを特徴とする電子機器。
【請求項２】
前記閉位置で前記表示画面はその全面が前記入力操作板によって覆われる
ことを特徴とする請求項１に記載の電子機器。
【請求項３】
前記入力操作板の前記連結部と前記操作部との間には、鉤状に曲げられ前記開位置で前記表示装置の後方に延出される後壁部が形成されている
ことを特徴とする請求項１に記載の電子機器。
【請求項４】
前記表示装置において前記開位置で前記後壁部に向き合わされる部分に、放音面を前記後壁部に向けてスピーカが内蔵されている
ことを特徴とする請求項３に記載の電子機器。
【発明の詳細な説明】
【技術分野】
【０００１】
本発明は、表示装置に対して開閉自在に入力操作板が連結された電子機器に関し、更に詳しくは、表示装置に対する入力操作板の連結構造を工夫することによって入力操作板の展開時の省スペース化を図った電子機器に関する。
【背景技術】
【０００２】
従来より、デスクトップ型コンピュータのように、演算処理や制御処理を行う中央処理装置を備えた機器本体と、この機器本体に対する制御処理の指示等を行うためのキーボード等の入力操作板と、機器本体による制御処理の結果や入力操作板による入力内容の表示を行う表示装置を備えた電子機器がある。
【０００３】
従来この種の電子機器にあっては、機器本体と表示装置と入力操作板とがそれぞれ別体として存在し、これらをケーブルによって接続する構成が多く採用されている。
【０００４】
また、近年、家庭内の狭いスペースにおいても使用しやすく、かつ、携帯型のノートブック型コンピュータより高い能力と拡張性を有するデスクトップ型のコンピュータに対する要望が高くなり、機器本体と表示装置とを一体化したものが提案されている。例えば、特許文献１参照。
【特許文献１】特開平９−３２１４５３号公報
【０００５】
しかしながら、機器本体と表示装置とを一体化しただけでは、入力操作板を机上面等の設置面上に載置しなければならず、十分に省スペース化されたとは言えない。特に、入力操作板であるキーボードは操作キーの数も多く、しかも、それら操作キーを平面的に配置した状態で使用しなければならないので設置面上に占めるスペースが大きく、キーボードを使用する必要がないときでも、それが設置面上のスペースを占めていて邪魔になることがある。
【０００６】
そこで、本出願人は、特願２００２−３６９７６６号の特許出願において、機器本体と、表示装置と、入力操作板との３者を一体化した電子機器を提案した。この電子機器２０’を図１８に示す。
【０００７】
表示装置２１’は機器本体２２’に傾動可能に支持され、その表示装置２１’の下端部に入力操作板であるキーボード２３’の後端部が回動自在に連結されている。
【０００８】
使用するときには、図１８（ａ）に示すようにキーボード２３’が表示装置２１’の下端部からほぼ前方に向かって延びるように位置させて、キートップ面２６’がほぼ上方を向くようにし、キーボード２３’を使用しないときには、図１８（ｂ）に示すようにキーボード２３’を上方へ回動させて、図１８（ｃ）に示すようにキーボード２３’によって表示装置２１’の表示画面２４’の下から３分の２ほどが覆われる。
【発明の開示】
【発明が解決しようとする課題】
【０００９】
上記図１８に示す電子機器２０’では、キーボード２３’を表示画面２４’に重ねた際に画面の全面保護が行えていないが、画面の全面保護を行うべくキーボード２３’の縦方向の長さを長くしてしまうと、キーボード２３’を使用する際にキーボード２３’を手前に展開したときの設置面積の増大をきたしてしまう。
【００１０】
本発明は上述の問題に鑑みてなされ、その目的とするところは、表示画面の前方に入力操作板が展開された状態で、表示画面前方への突出長さを抑えることができる電子機器を提供することにある。
【課題を解決するための手段】
【００１１】
本発明の電子機器は、表示画面を有する表示装置と、この表示装置を設置面上から浮かせた状態で支持する支持部材と、表示装置の背面に連結される連結部とこの連結部から表示画面の前方に延在される操作部とを有し、連結部を回動中心として、操作部が表示画面の前方に展開される開位置と、操作部が表示画面に向き合わされる閉位置との間で回動自在な入力操作板とを備えたことを特徴としている。
【００１２】
入力操作板は、操作キーやタッチパッド、あるいはその他各種操作ボタンなどを有する操作部と、この操作部から表示装置の背面に回り込むようにして表示装置の後方に延在されて表示装置の背面に連結される連結部とを有する。この連結部を回動中心として入力操作板は回動され、その回動中心である連結部を表示装置の背面に回り込ませたことで、入力操作板の閉位置から開位置への回動動作に伴って連結部側の部分が表示装置の後方に引っ込む。この結果、その引っ込んだ分だけ、表示画面の前方に展開される部分の長さ（奥行き方向の長さ）を短くでき展開スペースの省スペース化が図れる。
【００１３】
表示装置は支持部材によって設置面上から浮いた状態で支持され、表示装置と設置面との間に、入力操作板の回動動作を許容するための空間が形成されるようにしている。
【００１４】
本発明によれば、開位置での入力操作板の表示画面前方への突出長さを抑えることができるので、閉位置で表示画面の全面を覆うようにするために入力操作板の長さを長くしても、展開時にはそれほど展開スペースの増大はきたさない。これにより、閉位置での表示画面の完全な保護と、開位置での省スペース化の両立が図れる。
【００１５】
特に、最近は家庭内でも無線ＬＡＮ（Local Area Network）の導入が普及しつつあり、例えば液晶表示パネルを用いた表示装置と本体とが一体化された可搬型の電子機器を家の中で移動させて使用することも増え、持ち運ぶときに表示画面を全面保護できるようにする要求は高まるものと予想される。
【００１６】
もちろん、持ち運ぶことを想定せずに、据え置いて使用することを想定した機種の場合には、閉位置で表示画面の全面が入力操作板によって覆われないようにしてもよい。この場合にも、展開時の省スペース化は実現できる。
【００１７】
また、入力操作板の操作部と連結部との間に鉤状に曲げられ開位置で表示装置の後方に延出される後壁部を形成するようにすれば、その延出部分があることによって連結部の位置を表示装置の下端部よりも高くしても、入力操作板の開位置への回動動作の際に入力操作板が表示装置の下端部に引っかかることなく回動できる。
【００１８】
連結部の位置を表示装置の下端部より高くすれば、入力操作板はその連結部から傾斜して吊り下げられる状態とされ、これによって、入力操作板が展開されると自然にキー操作しやすい傾斜が形成される。
【００１９】
また、表示装置において入力操作板が開位置とされた状態でその入力操作板の上記後壁部に向き合わされる部分に、放音面をその後壁部に向けてスピーカを内蔵させれば、その後壁部にスピーカからの音を反射させて使用者のいる表示画面前方側へと音を向かわせることができる。
【００２０】
上記スピーカ配置を採用すると、表示画面の背面に重なるようにしてスピーカを配置でき、特に、口径の大きなスピーカであっても表示装置の横幅の増大をきたすことなく表示装置内に内蔵できる。
【発明の効果】
【００２１】
本発明の電子機器によれば、表示装置に対する入力操作板の連結部を表示装置の背面に回り込ませこの連結部を回動中心として入力操作板が回動されるようにしたので、入力操作板の閉位置から開位置への回動動作に伴って連結部側の部分が表示装置の後方に引っ込み、その引っ込んだ分だけ、表示画面の前方に展開される部分の長さ（奥行き方向の長さ）を短くでき展開スペースの省スペース化が図れる。
【発明を実施するための最良の形態】
【００２２】
［第１の実施形態］
（電子機器の構成）
図１〜図４は本実施形態に係る電子機器１の外観図を示す。電子機器１は、表示装置２と、この表示装置２の背面を支えるようにして支持する支持部材３と、表示装置２に対して回動自在に連結された入力操作板５とから主として構成される。図１〜図３に示される状態は入力操作板５が表示画面６の前方に展開された開位置をとっている状態である。図４に示される状態は入力操作板５が表示画面６を覆っている閉位置をとっている状態である。
【００２３】
図１０は、表示装置２から取り外された入力操作板５の斜視図を示す。図１１は図１０から筐体７を取り除いた図である。入力操作板５は、いわゆるキーボードであるが、その板状の操作部８１に操作キー８を備えている。あるいは操作キー８の他に、電源ボタンなどの各種操作ボタン、更には、タッチパッドやクリックボタンなどを備えていてもよい。後端部は表示装置２への連結部９ａ、９ｂとして機能する。
【００２４】
入力操作板５の後部は鉤状に曲げられている。具体的には、入力操作板５の後部は湾曲させられて、連結部９ａ、９ｂが入力操作板５の内表面に向き合うように折り返されている。これにより、入力操作板５には、内表面側に湾曲して立ち上がった後壁部１２が形成される。
【００２５】
連結部９ａと連結部９ｂとの間には切欠き１０が形成されている。この切欠き１０は、図３に示すように表示装置２の背面側の下部中央に出っ張って形成されたバッテリ収納部１１との干渉を防ぐために形成されている。
【００２６】
連結部９ａ、９ｂにはそれぞれにヒンジ部材１３が取り付けられている。具体的には、図１１に示すように、入力操作板５の左右の側部には、後部が鉤状に湾曲した帯状の板金１４が配設されており、この板金１４の後端部にヒンジ部材１３が取り付けられている。板金１４の後部と筐体７の後部との湾曲程度は同じである。
【００２７】
ヒンジ部材１３は、入力操作板５への取付部である第１取付部１５と、この第１取付部１５に一体的に固定されている円筒部１６と、この円筒部１６に対して回動自在に連結され、表示装置２側への取付部である第２取付部部１７とから構成される。第２取付部１７は、図１２に示すように、円筒部１６の外に突出している板状部１８と、この板状部１８に一体的に接続し円筒部１６内に回動自在に嵌合している円柱部１９とからなる。
【００２８】
第１取付部１５は、図１２に示すように、板金１４の後端部に形成されたピン２０によって位置決めされたうえで、３つの貫通孔２１ａ〜２１ｃを通じて板金１４の後端部に締結されるねじによって板金１４の後端部に固定される。
【００２９】
上記入力操作板５はその連結部９ａ、９ｂに取り付けられたヒンジ部材１３を介して、表示装置２の背面に連結される。表示装置２の背面において、入力操作板５との連結箇所である下端部寄りの部分には、図１３に示すように、ヒンジ取付ブロック２２が固定されている。
【００３０】
ヒンジ取付ブロック２２の表面には、表示装置２の横幅方向に沿って凹部２３が形成され、この凹部２３のほぼ中央に位置決めピン２４が突設され、この位置決めピン２４の左右両側にねじ孔２５があけられている。
【００３１】
上述したヒンジ部材１３の板状部１８は、その中央に形成された貫通孔８５ａ（図１２参照）に、図１４に示すように位置決めピン２４が通されて位置決めされたうえでヒンジ取付ブロック２２の凹部２３に嵌められる。板状部１８の貫通孔８５ｂ（図１２参照）とヒンジ取付ブロック２２のねじ孔２５も位置合わせされ、貫通孔８５ｂを通してねじ孔２５にねじが締結されることで板状部１８がヒンジ取付ブロック２２に固定される。
【００３２】
これにより、ヒンジ部材１３を介して入力操作板５が表示装置２の背面に連結される。板状部１８に一体的な円柱部１９に対して円筒部１６が回動することで、入力操作板５は表示装置２に対して回動する。
【００３３】
表示装置２は、例えば溶着あるいはねじ止めにて互いに組み合わされる１対の筐体（前部筐体２６ａ、後部筐体２６ｂ）内に、図示しない表示パネルや回路基板などを収容している。後部筐体２６ｂの背面にはバックパネル３１（図３参照）が組み付けられる。
【００３４】
表示装置２内において表示パネルの背面側に配設される回路基板は、プリント配線板上に、中央処理装置や半導体メモリなどの半導体部品、抵抗部品、コンデンサ部品、コネクタ、更にはハードディスク装置、フレキシブル磁気ディスク装置、光ディスク装置などが実装されて構成される。この回路基板は、いわゆるメインボードと呼ばれ（マザーボードあるいはシステムボードとも呼ばれる）、この電子機器１の実質的な本体として機能する。
【００３５】
表示パネルは例えば液晶表示パネルである。あるいは、有機、無機ＥＬ（Electro Luminescence）素子や発光ダイオードを用いた表示パネル、更にはプラズマディスプレイパネルであってもよい。
【００３６】
前部筐体２６ａは窓孔が形成された枠状を呈し、その窓孔より表示パネルの表示画面６が露出される（図１参照）。
【００３７】
また、図５に示すように、表示装置２の背面側には蓋によって開閉される収納部６１が形成されている。この収納部６１に、例えばマウスやリモートコントローラなどの電子機器１に付属される付属品を収納することで、それら付属品と電子機器１とをばらばらにすることなくまとめて持ち運ぶことができる。これによって、付属品の紛失を防げる。
【００３８】
図１、図４に示すように、表示装置２の上下左右の４つの端部を囲むようにして角リング状の枠部材６６が取り付けられている。枠部材６６の左右の側部６７はそれぞれ表示装置２の左右の側端部に沿って延在して、その側端部に固定されている。
【００３９】
枠部材６６の側部６７の上端部及び下端部は表示装置２の側端部から延出し、側部６７の上端部には表示装置２の上端面に沿って延在する上部６８が連結され、側部６７の下端部には表示装置２の下端部に沿って延在する下部６９が連結されている。
【００４０】
枠部材６６の上部６８と表示装置２の上端部との間には間隙が形成され、その間隙に手を差し入れて上部６８を把持することで電子機器１を持ち運ぶことができる。
【００４１】
枠部材６６の下部６９と表示装置２の下端部との間にも間隙が形成され、この間隙は後述するように入力操作板５の開閉動作を許容する。
【００４２】
枠部材６６の内部には、例えばアルミニウムやマグネシウムからなる帯状の補強部材が、枠部材６６の芯材として内蔵されている。
【００４３】
表示装置２の周囲を枠部材６６が取り囲んでいることによって、持ち運び時に表示装置２の端部が家具や壁などに直接ぶつかってしまうことを防げ、枠部材６６は表示装置２に加わる衝撃を緩和する。
【００４４】
支持部材３は、図３に示すように、略四角い枠状を呈し、ヒンジ７３（図５参照）を介して表示装置２に対して回動自在に連結されている。支持部材３は、枠状になっているので、表示装置２背面の下部に設けられたコネクタ６４を隠さず、よってコネクタ６４に対する各種ケーブルや端子の抜き差しに際してじゃまにならない。
【００４５】
表示装置２は、図２に示すように、支持部材３と、上述した枠部材６６の下部６９とによって、湾曲した下端部が設置面上から浮いた状態で設置面上に支持される。
【００４６】
表示装置２は立った姿勢でもって設置面上に支持される。ここで、立った姿勢とは垂直に立った姿勢に限らず、表示装置２の上端部側が後方に少し倒れた傾斜姿勢も含む。表示装置２の前方にいる使用者がその視線の方向に表示画面６を見ることができる姿勢であればよい。
【００４７】
表示装置２に対する支持部材３の回動角度を調整して、支持部材３と、枠部材６６の下部６９との開き角度を調整することで、表示装置２の傾き具合を調整でき、使用者が表示画面６を視認するのに最適な角度に調整可能である。
【００４８】
（入力操作板の開閉動作）
図４及び図６は、入力操作板５が閉位置にある状態を示す。入力操作板５の湾曲した後壁部１２は表示装置２の下端部（後壁部１２と同様に湾曲している）を覆い、後壁部１２に続く板状の操作部８１は表示画面６に重なっている。操作部８１は表示画面６の全面を覆うので、枠部材６６の上部６８をつかんで電子機器１を持ち運ぶときや、非使用時に電子機器１を収納しておく場合などに表示画面６の全面保護を行える。
【００４９】
入力操作板５が閉じられたこの状態で、更に支持部材３を表示装置２の背面側に寄せるように表示装置２と支持部材３との開き角度を小さくすれば、電子機器１の奥行き寸法が小さくされてスリムになるので、例えば壁などに立てかけた状態で置けば、非使用時の置き場所をとらない。
【００５０】
図１に示すように、表示装置２の前面側において表示画面６から外れた左右の側縁部寄りの箇所にロック金具８２が突設されている。そのロック金具８２に、入力操作板５の側縁部寄りの箇所に形成された係合孔８３内に設けられたロックレバー（図示せず）が係合することで、入力操作板５の閉状態が保持される。係合孔８３の脇に設けられた解除ボタン８４を押すことで、ロック金具８２とロックレバーとの係合は解除される。
【００５１】
入力操作板５の操作部８１を手前側に降ろすようにして（図７参照）、上述したヒンジ部材１３を介して表示装置２の背面に連結された連結部９ａ、９ｂを中心に入力操作板５を回動させると、操作部８１がキートップ面を上に向けた状態で表示装置２の下端部と設置面との間に広げられ、表示画面６の前方に展開される開状態となる。これにより、使用者の操作キー８を叩いての入力操作が可能となる。
【００５２】
このとき、回動中心である入力操作板５の連結部９ａ、９ｂが表示装置２の背面に連結されて、回動中心が表示装置２の後方に回り込んでいるので、入力操作板５の開位置への回動に伴って、入力操作板５において連結部寄りの部分が表示装置２の後方へと引っ込む。
【００５３】
すなわち、閉位置では表示装置２の前面に重なっている図６においてクロスハッチングで示す部分が、展開時には図８に示すように表示装置２の後方へと延出する。これにより、展開時における表示画面６前方への入力操作板５の突出長さを抑えることができ、使用時の設置面積の省スペース化が図れる。
【００５４】
上記クロスハッチングで示した部分は、入力操作板５の展開動作に伴って弧を描くようにして、表示装置２の下方を通り抜けて表示装置２の後方へと移動するので、表示装置２の下端部と設置面との間にはその移動を許容するための空間が上述した枠部材６６の下部６９によって確保されている。
【００５５】
また、入力操作板５の連結部９ａ、９ｂが、表示装置２の下端部よりも上方に位置する背面に連結されているので、展開された状態では連結部９ａ、９ｂから前端部に向けて若干下向き傾斜する。したがって、展開された状態で入力操作板５が自然にそのキートップ面が使用者の方に近づくように傾斜されるので、操作キー８の操作性が向上する。
【００５６】
また、入力操作板５には、上述した中央処理装置や半導体メモリなどの部品、更にはハードディスク装置、フレキシブル磁気ディスク装置、光ディスク装置などの記憶装置を搭載し実質的な機器本体を構成する回路基板（メインボード）が収容されておらず、薄型化及び軽量化が図られている。これにより、開閉動作時の使用者の負担が軽減される。更に、頻繁に開閉されることになる入力操作板５に振動に弱いハードディスク装置などが収容されていないのでそれら装置の故障も防げる。
【００５７】
［第２の実施形態］
次に本発明の第２の実施形態について説明する。なお、上記第１の実施形態と同じ構成部分には同一の符号を付し、その詳細な説明は省略する。
【００５８】
本実施形態では、図１５に示すように、表示装置２の下端部近傍にスピーカ８０を内蔵させている。例えば表示装置２の横幅方向に関しての左右の両端にスピーカ８０を内蔵させている。スピーカ８０はその放音面ｓを、入力操作板５の湾曲した後壁部１２の内面に向けている。
【００５９】
スピーカ８０の放音面ｓからは、矢印で示すように、後壁部１２の内面に向けて音が出力され、後壁部１２の内面で反射・拡散されて前方に向かう。
【００６０】
表示装置にスピーカを内蔵させる構成としては、放音面を前方に向けて表示画面の左右の両脇に設ける構成が一般によく採用されている。しかし、この構成では表示画面にスピーカを重ねて配置することができず、スピーカの口径が大きくなると、その分、表示画面両脇の幅を増大させ表示装置が大型化してしまう。
【００６１】
これに対して、本実施形態のように、放音面ｓを表示画面６の後方に向けてスピーカ８０を設ければ、スピーカ８０が表示画面６の背面に重なって配置されたところで表示画面６の視認には何の支障も来さない。これにより、表示画面両脇の幅増大を来すことなく大口径のスピーカを内蔵させることができ、音質や出力パワーの向上を図ることができる。
【００６２】
以上、本発明の実施形態について説明したが、勿論、本発明はこれらに限定されることなく、本発明の技術的思想に基づいて種々の変形が可能である。
【００６３】
入力操作板５の後部を湾曲させて曲げる形態に限らず、角を形成させて曲げてもよい。
【００６４】
また、枠部材６６において持ち運ぶときのハンドルとして機能する上部６８と、設置面上に接触して支持部材３と共に表示装置２を支えるスタンドとして機能する下部６９とを、側部６７を介して一体とせずに分離させて設けてもよい。
【００６５】
また、上記実施形態では表示装置２は、支持部材３と枠部材６６の下部６９とによって支持されるとしたが、図１７に示すように支持部材１２０によってのみ支持される構成としてもよい。
【００６６】
また、その図１７に示すように、入力操作板１２２においてヒンジ部材１２１との連結部側の部分をＬ字状に屈曲させた形状としてもよい。
【００６７】
また、入力操作板はその後端部がヒンジ部材に連結される構造に限らず、図１６に示すように、後端部よりも操作部側に寄った部分でヒンジ部材１２１を介して表示装置２の背面に連結されるようにしてもよい。このような構成の場合、表示装置２に図示のような凹所１２４を形成すれば入力操作板１２３においてヒンジ部材１２１と後端部との間の部分１２３ａが、入力操作板１２３の開位置への回動によって表示装置２と干渉してしまうのを防げる。
【００６８】
また、凹所１２４の底部に例えば電源スイッチを設けて、その電源スイッチが入力操作板１２３の開位置への回動によって入力操作板１２３においてヒンジ部材１２１と後端部との間の部分１２３ａで押されるようにすれば、使用時に、入力操作板１２３を開位置へと回動させる動作によって自動的に電源が入るようにできる。
【図面の簡単な説明】
【００６９】
【図１】本発明の実施形態に係る電子機器の開状態における正面図である。
【図２】同電子機器の開状態における側面要部の斜視図である。
【図３】同電子機器の開状態における背面側から見た斜視図である。
【図４】同電子機器の閉状態における正面図である。
【図５】同電子機器の閉状態における背面側から見た斜視図である。
【図６】同電子機器の閉状態における斜視図である。
【図７】図６の状態から入力操作板が開き始めた状態の斜視図である。
【図８】同電子機器の開状態における斜視図である。
【図９】図８の状態を背面側から見た斜視図である。
【図１０】上記入力操作板の斜視図である。
【図１１】図１０から筐体が取り除かれた状態の図である。
【図１２】図１１における要部の拡大斜視図である。
【図１３】上記表示装置の背面要部の拡大斜視図である。
【図１４】図１３の表示装置に入力操作板が連結された状態を示す図である。
【図１５】本発明の第２の実施形態に係る電子機器の開状態における側面要部の斜視図である。
【図１６】入力操作板と表示装置との連結構造の変形例を示す模式図である。
【図１７】表示装置の支持構造の変形例を示す側面図である。
【図１８】従来例の電子機器の斜視図である。
【符号の説明】
【００７０】
１…電子機器、２…表示装置、３…支持部材、５…入力操作板、６…表示画面、９ａ，９ｂ…連結部、１２…後壁部、１３…ヒンジ部材、２６ａ…前部筐体、２６ｂ…後部筐体、６６…枠部材、８０…スピーカ、８１…操作部、ｓ…放音面。
【図１】
2005085002.tif 000003
【図２】
2005085002.tif 000004
【図３】
2005085002.tif 000005
【図４】
2005085002.tif 000006
【図５】
2005085002.tif 000007
【図６】
2005085002.tif 000008
【図７】
2005085002.tif 000009
【図８】
2005085002.tif 000010
【図９】
2005085002.tif 000011
【図１０】
2005085002.tif 000012
【図１１】
2005085002.tif 000013
【図１２】
2005085002.tif 000014
【図１３】
2005085002.tif 000015
【図１４】
2005085002.tif 000016
【図１５】
2005085002.tif 000017
【図１６】
2005085002.tif 000018
【図１７】
2005085002.tif 000019
【図１８】
2005085002.tif 000020